(57)【特許請求の範囲】
【請求項１】
搭載した冷却ファンによって取り込んだ冷却用の空気を、排気接続孔を介して外部に排気する電子機器と、
前記排気接続孔と接続され、前記排気接続孔から排出される排気を、キーボードの吸気接続孔に引き込む排気ケーブルと、
前記排気ケーブルと、前記吸気接続孔を介して接続され、前記キーボードのフレーム内に取り入れた排気を、キートップの周囲から排出するキーボードと、を有する電子機器ユニット。
【請求項２】
前記排気ケーブルは、前記電子機器と、前記キーボードとを通信可能に接続する、通信コードと一体化されている、請求項１記載の電子機器ユニット。
【請求項３】
前記排気ケーブルは、
前記電子機器の排気接続孔と接続される、排気接続端子と、
前記キーボードの吸気接続孔と接続される、吸気接続端子と、
前記排気接続端子から取り入れた排気を、前記吸気接続端子を介して前記キーボードのフレーム内に取り入れるための排気管と、を有し、
前記通信コードは、
前記電子機器と電気的に接続するための電子機器接続端子と、
前記キーボードと電気的に接続するためのキーボード接続端子と、を有し、
前記排気管及び前記通信コードは、前記排気接続端子及び前記電子機器接続端子と、前記吸気接続端子及び前記キーボード接続端子とが、それぞれ前記電子機器及び前記キーボードに接続可能であるように、二股に分かれて構成されている、請求項２記載の電子機器ユニット。
【請求項４】
外部から冷却ファンによって電子機器の内部に冷却用の空気を取り込み、
前記取り込んだ空気を、前記電子機器に接続された排気ケーブルを介して、キーボードのフレーム内に取り入れ、
前記キーボードのフレーム内に取り入れた空気を、キートップの周囲から排出する、電子機器ユニットの防塵方法。
【発明の詳細な説明】
【技術分野】
【０００１】
本発明は電子機器ユニット及びその防塵方法に関する。
【背景技術】
【０００２】
キーボードは、キートップとキートップとの隙間に自然に蓄積する埃や、汚れに気づいて拭き取った際に隙間に落ちる埃などが溜まりやすい。また、キートップとキートップとの間は凹型になっている為、クリーニングしにくいのが現状である。また、キーボードにほこりが溜まることにより、接触不良の原因になる恐れがある。
【０００３】
特許文献１には、ファンを有するキーボードが記載されている。特許文献１に記載の技術では、ファンによりキーボードの筐体内部を加圧状態にして、埃等の侵入を防止するとともに、キーボード筐体内部から、キーボードの隙間を介して外部に送風されるようにしている。
【先行技術文献】
【特許文献】
【０００４】
【特許文献１】特開２００７−７９８３５号公報
【発明の概要】
【発明が解決しようとする課題】
【０００５】
しかしながら、特許文献１に記載の技術では、キーボードにファンを設けるため、キーボードが大型化してしまうという問題点があった。
【０００６】
本発明は、このような問題点を解決するためになされたものであり、キーボードの大きさは変更せず、かつ防塵機能を有する電子機器ユニット及びその防塵方法を提供することを目的とする。
【課題を解決するための手段】
【０００７】
本発明にかかる電子機器ユニットは、取り込んだ空気を、排気孔を介して外部に排気する電子機器と、排気孔と接続され、排気孔から排出される排気を、キーボードの吸気孔に引き込む排気ケーブルと、排気ケーブルと、吸気孔を介して接続され、キーボードのフレーム内に取り入れた排気を、キートップの周囲から排出するキーボードと、を有するものである。
【０００８】
本発明にかかる電子機器ユニットの防塵方法は、外部から電子機器の内部に空気を取り込み、取り込んだ空気を、電子機器に接続された排気ケーブルを介して、キーボードのフレーム内に取り入れ、キーボードのフレーム内に取り入れた空気を、キートップの周囲から排出するものである。
【発明の効果】
【０００９】
本発明によれば、キーボードの大きさは変更せず、かつ防塵機能を有する電子機器ユニットを提供することができる。
【図面の簡単な説明】
【００１０】
【図１】実施の形態にかかる電子機器ユニットを示す図である。
【図２】実施の形態にかかる排気ケーブルが、通信コードを有する場合を示す図である。
【発明を実施するための形態】
【００１１】
以下、図面を参照して本発明の実施の形態について説明する。図１は、本実施の形態にかかる電子機器ユニット１を示す図である。電子機器ユニット１は、電子機器１０と、電子機器１０と排気接続孔１０３を介して接続された排気ケーブル１１と、排気ケーブルに吸気接続孔１２１を介して接続されたキーボード１２と、ディスプレイ２０とを有する。
【００１２】
電子機器１０は、一般的ないわゆるデスクトップコンピュータであって、所定の機能を実現するための処理装置等を有する。さらに、電子機器１０は、筐体１００と、筐体１００に形成された、外部から空気を取り入れるための吸気孔１０１と、筐体１００内に搭載され、外部から吸気孔１０１を介して筐体１００の内部に取り込み、処理装置等を冷却するための冷却ファン１０２と、筐体１００に形成され、吸気孔１０１から取り込んだ空気を、排気ケーブル１１を介して外部に排出するための排気接続孔１０３とを有する。
【００１３】
排気ケーブル１１は、筐体１００の排気接続孔１０３と接続するための排気接続端子１１１と、キーボード１２の吸気接続孔１２１と接続するための吸気接続端子１１２と、排気接続端子１１１と吸気接続端子１１２とに接続された、排気が通過可能な管である、排気管１１３とを有する。
【００１４】
キーボード１２は、排気ケーブル１１と接続するための吸気接続孔１２１と、複数のキートップ１２２とを有する。吸気接続孔１２１は、キーボード１２のフレーム内部に排気を取り入れ、キートップ１２２の周囲から排気する。
【００１５】
キーボード１２は、キートップ１２２の周囲の溝から排気するため、キーボード１２の溝に埃がたまりにくい。
【００１６】
実施の形態においては、冷却ファン１０２により取り込まれた空気は、排気接続孔１０３を介して排気ケーブル１１の排気管１１３に排出され、排気管１１３を通った排気は、吸気接続孔１２１からキーボード１２のフレーム内部に取り入れられる。キーボード１２の内部に取り入れられた排気は、キートップ１２２の周囲から排出される。
【００１７】
これにより、キーボード１２のキートップ１２２の周囲は、キーボード１２のフレーム内部から風が吹き出す構成となり、キートップ１２２の周囲の溝に埃がたまることを防止することができる。
【００１８】
また、本実施の形態においては、筐体１００の排気を利用するため、キーボード１２にファン等を設ける必要がなく、一般のキーボードと比較して、大型化することがない。
【００１９】
埃等の汚れがキートップ１２２の周囲の隙間に蓄積しにくいので、キーボード１２のクリーニングが不要になり、キーボード１２の接触不良等のトラブルが減る。例えば、公共の場にあるキーボード１２に本実施の形態を適用すれば、公共の場にあるキーボード１２の定期的なクリーニングを減らすことができる。
【００２０】
なお、排気ケーブル１１は、さらに、筐体１００と、キーボード１２とを電気的に接続するための通信コードと一体化された構成としてもよい。図２は、排気ケーブル１１が、通信コード１１６と一体化された場合を示す図である。
【００２１】
実施の形態においては、排気管１１３と、通信コード１１６とをまとめて１本の接続コード１７とする。通信コード１１６は、筐体１００と電気的に接続するための筐体接続端子１１４と、キーボード１２と電気的に接続するためのキーボード接続端子１１５と接続されている。
【００２２】
図２（ａ）は、接続コード１７が筐体１００に接続された状態を示す図である。排気接続端子１１１と、筐体接続端子１１４とが、それぞれ筐体１００と接続可能であるよう、排気接続端子１１１及び筐体接続端子１１４の付近では、接続コード１７は、排気管１１３と、通信コード１１６とが二股に分かれている。ちなみに、排気ケーブル１１内に通信コード１１６を収めて一体化してもよく、排気ケーブル１１と通信コード１１６とを並べて一体化してもよい。
【００２３】
図２（ｂ）は、接続コード１７が、キーボード１２に接続された状態を示す図である。吸気接続端子１１２と、キーボード接続端子１１５とが、それぞれがキーボード１２と接続可能であるよう、吸気接続端子１１２及びキーボード接続端子１１５の付近では、接続コード１７は、排気管１１３と、通信コード１１６とが二股に分かれている。
【００２４】
排気ケーブル１１と、通信コード１１６とをまとめた接続コード１７により、省スペースで電子機器ユニット１を提供することができる。
【００２５】
なお、本発明は上記実施の形態に限られたものではなく、趣旨を逸脱しない範囲で適宜変更することが可能である。例えば、電子機器１０とキーボード１２とが一体となっている場合には、電子機器１０に取り入れられた空気を、キーボード１２のキートップの周囲から排出するように構成すればよい。
【符号の説明】
【００２６】
１  電子機器ユニット
１０  電子機器
１１  排気ケーブル
１２  キーボード
１７  接続コード
２０  ディスプレイ
１００  筐体
１０１  吸気孔
１０２  冷却ファン
１０３  排気接続孔
１１１  排気接続端子
１１２  吸気接続端子
１１３  排気管
１１４  筐体接続端子
１１５  キーボード接続端子
１１６  通信コード
１２１  吸気接続孔
１２２  キートップ
【図１】
0005900955.tif 000002
【図２】
0005900955.tif 000003